(57)【要約】  ベッドの縁部で座った姿勢から横になった姿勢に障害者２７を移動するための方法において、障害者が背筋を伸ばして座っている状態で、介助器具のクロスバーが、大腿部の背後に挿入される。次に、障害者は、クロスバーの両端を把持する。このクロスバーが弓形状体で押し上げられて、上体を弓形状体で背後に移動させる。障害者は、自分の両肢がベッドのマットレスの上面よりも高いレベルになるまで、障害者の臀部で傾斜させられる。その後、障害者は、自分の肢がベッドの上に来るまで、約１／４回転される。そして、障害者が自分の背中をベッドに横たえるまで、クロスバーが、弓形状体で押し上げられる及び／又は上体が、弓形状体で後方にさらに移動される。
2014509898.tif 000002
【特許請求の範囲】
【請求項１】
ベッドに横になった姿勢から座った姿勢に介助器具を用いて障害者を移動するための方法であって、当該方法は、
前記障害者が横になった姿勢の状態で、両肢が最初に引き上げられ、前記介助器具の第１のセクションが、膝の膝窩領域内に又は大腿部の背後に挿入され、次に、第１のセクションと前記障害者の上体との間で接続が行われ、障害者は、膝及び／又は介助器具の第１のセクションを弓形状体で押し下げることによって及び／又は前記障害者を該障害者の臀部で旋回させながら、上体を弓形状体で押し上げることによって、背筋を伸ばして座った姿勢がもたらされ、
前記障害者が背筋を伸ばして座っている状態で、前記障害者が背筋を伸ばした姿勢でベッドの上に置かれた後に、前記障害者は、下肢がベッドからある程度はみ出るまで、約１／４回転移動される、
方法。
【請求項２】
前記介助器具の第１のセクションと前記上体との間の接続は、前記障害者が、膝の両側にはみ出した第１のセクションの両端を両手で把握する、又は２つの肢の間の真ん中の第１のセクションを把持するように行われる、
請求項１に記載の方法。
【請求項３】
前記介助器具の第１のセクションと前記上体との間の接続は、前記障害者の上体の周囲にループ（３５）を案内するとともに、該ループを前記介助器具の第１のセクションに接続することによって行われる、
請求項１に記載の方法。
【請求項４】
前記介助器具の第１のセクションが、前記膝の膝窩領域内に又は大腿部の背後に挿入されるときに、接続要素を介して第１のセクションに接続された前記介助器具の支持要素が、ベッド上に配置されている、
請求項１乃至３にいずれか一項に記載の方法。
【請求項５】
前記介助器具は、第１セクションが、前記膝の膝窩領域内に又は大腿部の背後に挿入されたときに、前記障害者の身体の横や下に存在するような第２のセクションをさらに有しており、
前記介助器具の第１のセクションと前記上体との間の接続は、第１の及び／第２のセクションを互いに対して固定することによって、又は前記障害者の身体を前記介助器具の第２のセクションに対して固定する及び／又は前記障害者の大腿部を第１のセクションに対して固定することにより行われる、
請求項１に記載の方法。
【請求項６】
前記介助器具は、第１のセクションに堅固に接続されるか、前記接続要素から伸縮される、又は前記接続要素に結合されるような長いハンドルをさらに有しており、且つ該ハンドルの一端が前記膝上に延びており、
前記一端は、前記障害者が背筋を伸ばして座った姿勢になるときに、前記弓形状体で押し下げられる及び／又は引き下ろされ、且つ前記ベッドの上に存在する前記接続要素の前記一端が、仮想水平軸線を中心に回転する、
請求項４又は５に記載の方法。
【請求項７】
ベッドの縁部に座った姿勢から横になった姿勢に介助器具を用いて障害者を移動するための方法であって、当該方法は、
前記障害者が背筋を伸ばして座っている状態で、前記介助器具の第１のセクションが、膝の膝窩領域内に又は大腿部の背後に挿入され、次に、第１のセクションと前記障害者の上体との間で接続が行われ、前期膝及び／又は前記介助器具の第１のセクションが弓形状体で押し上げられる及び／又は両肢が前記ベッドのマットレスの上面よりも高いレベルになるまでの、前記障害者を該障害者の臀部で傾斜させる動作の間に、前記上体を前記弓形状体でリクライニングさせることが可能になり、その後、両肢がベッドの上に上がるまで、前記障害者を約１／４回転だけ移動させ、そして、前記膝及び／又は前記介助器具の第１のセクションが前記弓形状体でさらに押し上げられる及び／又は前記障害者が自分の背中をベッドの上に横たえるまで、前記上体を前記弓形状体でリクライニングさせることが可能になる、
方法。
【請求項８】
前記介助器具の第１のセクションと前記上体との間の接続は、前記障害者が、前記膝の両側に延びる第１のセクションの両端を両手で把握する、又は２つの肢の間の真ん中の第１のセクションを把握するように行われる、
請求項７に記載の方法。
【請求項９】
前記介助器具の第１のセクションと前記上体との間の接続は、ループ（３５）を前記障害者の上体の周囲に配置するとともに、該ループを前記介助器具の第１のセクションに接続することによって行われる、
請求項７に記載の方法。
【請求項１０】
前記障害者が前記ベッドの縁部に配置される前に、前記介助器具の第１のセクションに接続された前記介助器具の支持要素は、前記障害者が前記支持要素に配置される前に、前記ベッドに置かれる、
請求項７乃至９に記載の方法。
【請求項１１】
前記介助器具は、前記障害者の上体の後方に又は横に存在しており、且つ第１のセクションに堅固に又は蝶番式に接続されるとともに、第１のセクションに対して固定されるような第２のセクションをさらに含む、
請求項７に記載の方法。
【請求項１２】
前記介助器具は、第１のセクションに堅固に接続されるか、前記接続要素から伸縮される、又は該接続要素に結合されるような長いハンドルをさらに含んでおり、且つ該ハンドルの一端が膝上に延びており、
前記一端は、前記障害者をリクライニングすることが可能になるときに、前記弓形状体で押し上げられ、且つ前記ベッドの上に存在する前記接続要素の前記一端が、仮想水平軸線を中心に回転される、
請求項１０又は１１に記載の方法。
【請求項１３】
請求項３乃至９に記載の方法に従って、前記障害者を前記ベッドに横たえる及びベッドから起き上がらせるように移動するための介助器具であって、
前記介助器具は、両端にハンドルを有する縦長のクロスバーによって形成された第１のセクションを有しており、前記ハンドル同士の間の距離は、３０〜８０ｃｍであり、好ましくは約６０ｃｍである、介助器具。
【請求項１４】
前記クロスバーには、第１の結合手段が設けられており、前記介助器具は、第１の結合手段に結合される第２の結合手段が設けられたループ（３５）をさらに含む、
請求項１３に記載の介助器具（３１）。
【請求項１５】
前記介助器具は、接続要素を用いて前記クロスバーに接続された支持要素をさらに有する、
請求項１３又は１４に記載の介助器具（１，３１）。
【請求項１６】
前記介助器具は、前記支持要素が取り付けられたスライドシートをさらに有しており、該スライドシートは、前記障害者の肢の下や周辺で使用する際に移動するように配置される、
請求項１５に記載の介助器具（１）。
【請求項１７】
端部における／又は端部付近のループ（１３）が、前記スライドシートの両側に取り付けられる、
請求項１６に記載の介助器具。
【請求項１８】
請求項５又は１１に記載の方法に係る、障害者をベッドに横たえる及びベッドから起き上がらせるように移動するための方法であって、
前記介助器具が、前記障害者の膝の膝窩領域内に又は前記障害者の大腿部の背後に挿入されるような第１のセクションと、前記障害者の身体の下に案内され、且つ第１のセクションに蝶番式に接続されるとともに、第１のセクションに対して固定されるような第２のセクションと、を有する方法。
【請求項１９】
請求項１５乃至１８のいずれか一項に記載の介助器具であって、
前記介助器具は、第１のセクションに堅固に接続されるか、前記接続要素から伸縮される、又は前記接続要素に結合されるような長いハンドルをさらに含む介助器具。
【発明の詳細な説明】
【技術分野】
【０００１】
本発明は、ベッドに横になった姿勢から座った姿勢に及びその逆の姿勢変化も同様に行うような介助器具を用いて障害者を移動する方法、及びこの方法に適した介助器具に関する。病院や介護施設の高齢者や患者等の障害者は、ベッドに横になる及びベッドから起き上がることが困難である。介護者や看護師の補助を受けても、ベッドに横になる及びベッドから起き上がることは、未だに、骨の折れる作業であり、障害者と介護者又は看護師との双方にとってさらに負担になる。
【背景技術】
【０００２】
ベッドに横になる及びベッドから起き上がるための介助器具が、一般的に知られている。この公知の介助器具は、多数の箇所で湾曲するバーによって形成されている。このバーは、障害者の身体の下に部分的に置かれ、バーの一端において、障害者を回転させるとともに直立させるようなハンドルを有している。
【発明の概要】
【発明が解決しようとする課題】
【０００３】
本発明の目的は、冒頭の段落で規定されたタイプの方法及び介助器具を提供することであり、それは、介護者や看護師が、ベッドに横になる及びベッドから起き上がる患者を補助するときに、公知の介助器具を用いた場合よりもよりシンプルに障害者を補助することが可能であり、且つ公知の介助器具を用いた場合よりもより少ない物理的な労力で障害者を補助することが可能な方法及び介助器具を提供することである。
【課題を解決するための手段】
【０００４】
障害者をベッドから起き上がらせる方法に関して、本発明は、障害者が横になった姿勢の状態で、両肢が最初に引き上げられ、介助器具の第１のセクションが、膝の膝窩領域内に又は大腿部の背後に挿入され、次に、第１のセクションと障害者の上体との間で接続が行われ、障害者は、膝及び／又は介助器具の第１のセクションを弓形状体で押し下げることによって及び／又は障害者を障害者の臀部で旋回させながら、上体を弓形状体で押し上げることによって、背筋を伸ばして座った姿勢がもたらされることを特徴としており、且つ障害者が背筋を伸ばして座わっている状態で、又は障害者が背筋を伸ばした姿勢でベッドの上に置かれた後に、障害者は、下肢がベッドからある程度はみ出るまで、約１／４回転移動されることを特徴とする。障害者が、ベッドの上に背筋を伸ばして座っているときに、障害者の重量は、てこの作用によって補助されるため、障害者をこのような方法で移動することは、殆ど労力を必要としない。
【０００５】
本発明に係る方法の実施形態では、介助器具の第１のセクションと上体との間の接続は、障害者が、膝の両側にはみ出した第１のセクションの両端を両手で把持する、又は２つの肢の間の真ん中の第１のセクションを把持するように行われることを特徴とする。この実施形態では、非常にシンプルな介助器具が、目的に適う。
【０００６】
本発明に係る方法の他の実施形態では、介助器具の第１のセクションと上体との間の接続は、障害者の上体の周囲にループを案内するととともに、このループを介助器具の第１のセクションに接続することによって行われることを特徴とする。その結果、障害者自身がいかなる労力も必要としなくなる。
【０００７】
本発明に係る方法のさらなる実施形態では、介助器具の第１のセクションが、膝の膝窩領域内に又は大腿部の背後に挿入されるときに、堅固な接続要素を介して第１のセクションに接続される介助器具の支持要素が、ベッドの上に配置されることを特徴とする。
【０００８】
本発明に係る方法のさらに別の実施形態では、介助器具は、第１のセクションが、膝の膝窩領域内に又は大腿部の背後に挿入されるときに、障害者の身体の横や下に存在するような第２のセクションをさらに有していることを特徴としており、且つ介助器具の第１のセクションと上体との間の接続は、第１の及び／第２のセクションを互いに対して固定することによって、又は障害者の身体を介助器具の第２のセクションに対して固定する及び／又は障害者の大腿部を第１のセクションに対して固定することによって、行われることを特徴とする。この介助器具は、この場合に、座席と背もたれとが互いに蝶番式に接続される又は接続されないような、脚と肘掛けの無い椅子として理解される。
【０００９】
本発明に係る方法のさらなる実施形態では、介助器具は、第１のセクションに堅固に接続されるか、接続要素から伸縮される、又は接続要素に結合されるような長いハンドルをさらに有しており、且つこのハンドルの一端が膝上に延びており、この一端は、障害者が背筋を伸ばして座った姿勢になるときに、弓形状体で押し下げられる及び／又は引き下ろされ、且つベッドの上に存在する接続要素のこの一端が、仮想水平軸線を中心に回転する。接続要素と連動して、長いハンドルは、障害者がさらに少ない力で背筋を伸ばして起き上がることができるように、レバーとして機能する。
【００１０】
障害者がベッドに横になる方法に関して、本発明は、障害者が背筋を伸ばして座っている状態で、介助器具の第１のセクションが、膝の膝窩領域内に又は大腿部の背後に挿入され、次に、第１のセクションと障害者の上体との間で接続が行われ、膝及び／又は介助器具の第１のセクションが弓形状体で押し上げられる及び／又は両肢がベッドのマットレスの上面よりも高いレベルになるまでの、障害者を障害者の臀部で傾斜させる動作の間に、上体を弓形状体でリクライニングをさせることが可能になり、その後、両肢がベッドの上に上がるまで、障害者を約１／４回転だけ移動させ、そして、膝及び／又は介助器具の第１のセクションが弓形状体でさらに押し上げられる及び／又は障害者が自分の背中をベッドの上に横たえるまで、上体を弓形状体でリクライニングさせることが可能になることを特徴とする。この方法は、本質的に上述した方法の逆である。
【００１１】
本発明に係るこの方法の実施形態では、介助器具の第１のセクションと上体との間の接続は、障害者が、膝の両側に延びる第１のセクションの両端を両手で把持する、又は２つの肢の間の真ん中の第１のセクションを把持するように行われることを特徴とする。
【００１２】
本発明に係るこの方法の別の実施形態では、介助器具の第１のセクションと上体との間の接続は、ループを障害者の上体の周囲に案内するととともに、このループを介助器具の第１のセクションに接続することによって行われることを特徴とする。
【００１３】
本発明に係るこの方法のさらなる実施形態では、障害者がベッドの縁部に配置される前に、介助器具の第１のセクションに接続された支持要素は、障害者が支持要素に配置される前に、ベッドに置かれることを特徴とする。
【００１４】
本発明に係るこの方法のさらに別の実施形態では、介助器具は、障害者の上体の後方に又は横に存在しており、且つ第１のセクションに堅固に又は蝶番式に接続されるとともに、第１のセクションに対して固定されるような第２のセクションをさらに含むことを特徴とする。介助器具は、再び、脚と肘掛けの無い椅子として配置することができる。
【００１５】
本発明に係るこの方法のまた別の実施形態では、介助器具は、第１のセクションに堅固に接続されるか、接続要素から伸縮される、又は接続要素に結合されるような長いハンドルをさらに含んでおり、且つこのハンドルの一端が膝上に延びており、この一端は、障害者をリクライニングすることが可能になるときに、弓形状体で上方に移動され、且つベッドの上に存在する接続要素のこの一端が、仮想水平軸線を中心に回転されることを特徴とする。再び、長いハンドルが、レバーとして機能する。
【００１６】
介助器具に関して、本発明は、介助器具が、両端にハンドルを有する縦長のクロスバーによって形成された第１のセクションを有しており、２つのハンドル同士の間の距離が、３０〜８０ｃｍであり、好ましくは、約６０ｃｍであることを特徴とする。ハンドルは、次に、クロスバーを有する全体を形成する、又はコードを用いてクロスバーに接続することができる。
【００１７】
障害者がベッドに横になる及びベッドから起き上がるための介助器具の使用中に、介助器具の第１のセクションが、膝の膝窩領域内に又は障害者の大腿部の背後に挿入される。その後、障害者の膝を曲げた状態で、第１セクションが持ち上げられる。障害者は、次に、障害者が第１のセクションをしっかり握る状態を保持しながら、障害者の臀部で前後に傾斜させる。第１のセクションをしっかり握ることを維持するために十分な力強さを有していないような障害者のために、介助器具の実施形態では、クロスバーには、第１の結合手段が設けられており、介助器具は、第１の結合手段に結合される第２の結合手段が設けられたループをさらに含むことを特徴とする。
【００１８】
本発明に係る介助器具のさらなる実施形態では、介助器具は、接続要素を用いてクロスバーに接続された支持要素をさらに備えることを特徴とする。接続要素は、補助すべき障害者のサイズに介助器具を調整するために、互いに対して固定される伸縮自在の複数の管として形成されてもよい。
【００１９】
本発明に係る介助器具のさらに別の実施形態では、介助器具は、支持要素が取り付けられたスライドシートをさらに有しており、このスライドシートは、障害者の肢の下や周辺で移動するように配置されることを特徴とする。使用時には、スライドシートが、障害者の両肢の下や周辺で移動するように配置される。障害者がベッドから起き上がることを補助するときに、この障害者は、背筋を伸ばした姿勢に支持された後に、スライドシート上でより容易に回転することができる。これを達成するために、スライドシートは、両肢の周辺に巻き付けられるとともに、その端部において保持される。スライドシートの端部を引っ張ることによって、障害者の肢がベッドの外側になるように障害者を回転させることができる。スライドシート上でより良いグリップ力を得るために、端部における又は端部付近のループが、好ましくは、スライドシートの両側に取り付けられる。
【００２０】
本発明に係る介助器具の別の実施形態では、介助器具は、障害者の膝の膝窩領域内に又は障害者の大腿部の背後に挿入される第１のセクションと、障害者の身体の下に案内され、且つ第１のセクションに蝶番式に接続されるとともに、第１のセクションに対して固定される第２のセクションと、を有することを特徴とする。介助器具は、再び、脚と肘掛けの無い椅子として配置することができる。
【００２１】
本発明に係る介助器具のさらなる実施形態では、介助器具は、第１のセクションに堅固に接続されるか、接続要素から伸縮される、又は接続要素に結合されるような長いハンドルをさらに含む。使用時には、この長いハンドルは、クロスバーを上下に移動させるために殆ど労力を必要としないような、レバーとして機能する。
【図面の簡単な説明】
【００２２】
【図１】本発明に係る介助器具の第１の実施形態の上面図である。
【図２】図１に示される介助器具の側面図である。
【図３】調整手段に置き換えた介助器具の詳細図である。
【図４】ベッドから起き上がる障害者を補助するときの様々なステップを示す図である。
【図５】ベッドから起き上がる障害者を補助するときの様々なステップを示す図である。
【図６】ベッドから起き上がる障害者を補助するときの様々なステップを示す図である。
【図７】ベッドから起き上がる障害者を補助するときの様々なステップを示す図である。
【図８】ベッドから起き上がる障害者を補助するときの様々なステップを示す図である。
【図９】ベッドから起き上がる障害者を補助するときの様々なステップを示す図である。
【図１０】ベッドに横になる障害者を補助するときの様々なステップを示す図である。
【図１１】ベッドに横になる障害者を補助するときの様々なステップを示す図である。
【図１２】ベッドに横になる障害者を補助するときの様々なステップを示す図である。
【図１３】ベッドに横になる障害者を補助するときの様々なステップを示す図である。
【図１４】ベッドに横になる障害者を補助するときの様々なステップを示す図である。
【図１５】本発明に係る介助器具の第２の実施形態を収縮された状態で示す図である。
【図１６】図１５に示される介助器具を伸張された状態で示す図である。
【図１７】使用中の、本発明に係る介助器具の第３の実施形態をある視点から視た図である。
【図１８】使用中の、本発明に係る介助器具の第３の実施形態を別の視点から視た図である。
【発明を実施するための形態】
【００２３】
後述されるように、本発明は、添付した図面に示される介助器具及びその使用方法の実施形態を参照してさらに説明される。
【００２４】
図１及び２には、本発明に係る介助器具の実施形態の上面図と側面図とがそれぞれ示されている。介助器具１は、支持要素３と、クロスバー５によって形成された第１のセクション（５）と、一端７Ａで支持要素に接続されるとともに他端７Ｂでクロスバー５の中央に取り付けられる接続要素７と、を備える。接続要素のこの他端７Ｂは、長いハンドル９を収容する。支持要素３は、可撓性プレートによって形成されている。
【００２５】
介助器具１は、支持要素３が固定されるようなスライドシート１１をさらに備える。このスライドシートの端部１１Ｂにおいて、ループ１３が、両側１１Ｃに取り付けられている。
【００２６】
クロスバー５は、中央管５Ａと、クロスバー５が調節可能な長さを有するように中央管５Ａ内で伸縮する２つの側方管５Ｂと、を備える。接続要素７は、内側管７Ｃと外側管７Ｄとを備えており、内側管は、接続要素の長さを無段階で調整するように伸縮させることができる。接続要素７は、内側管と外側管とが互いに対して固定されるようなブロック機構を適合する。このブロック機構は、図３に作動バー１７を介して可動する楔１９に接続されるような作動ボタン１５を有するように示されており、この楔１９は、外側管７Ｄの内側に固定された面取りブロック２１と協働する。作動ボタン１５を左（矢印２３）に移動させることによって、楔１９が、作動ロッド１７によって右（矢印２５）に引っ張られ、内側管７Ｃの内壁とブロック２１との間で緊密にクランプされ、結果として、内側管７Ｃと外側管７とが、互いに対して固定される。
【００２７】
図４〜９には、ベッドから起き上がる障害者を補助するときの様々なステップが示されている。先ず、支持要素３を、障害者２７の臀部の下にスライドさせ（図４）、クロスバー５を、障害者の膝の膝窩領域の下に挿入させる（図５）。その様にすると、障害者２７は、自分の肢をスライドシート１１上に置くようになる。次に、障害者の膝を曲げた状態で、長いハンドル９を含むクロスバー５が、介護者２９によって持ち上げられる（図６）。接続要素７は、次に、支持要素３に接続されるように端部上で傾斜される。その後、障害者２７は、クロスバー５の両端を両手で把持することになる。
【００２８】
次に、障害者２７がクロスバー５を把持し続けた状態で、介護者２９は、長いハンドル９を下向きに押すことにより、クロスバー５を下げる（図７）。接続要素７は、支持要素３に接続されていることにより、再び、接続要素７の端部における仮想水平軸線を中心にして傾斜する。障害者２７は、クロスバー５を把持し続けているので、障害者は、背筋を伸ばした姿勢になる。最後に、介護者２９は、スライドシート１１を肢の周辺に置くことによって、且つ両肢がベッドからはみ出るまで、ループ１３を引っ張ることによって、障害者２７を回転させる（図８）。その後、障害者２７は、立ち上がることができる（図９）。
【００２９】
図１０〜１４には、ベッドに横になる障害者を補助するときの様々なステップが示されている。介助器具は、クロスバー５をベッドの縁部に平行にした状態で、ベッド上の横方向に配置される（図１０）。次に、障害者２７は、膝の膝窩領域又は膝の膝窩領域付近の大腿部をクロスバー上に置いた状態で、支持要素３上に座わる（図１１）。その後、障害者は、クロスバー５の両端を把持し、介護者２９は、長いハンドル９を接続要素７に繋げる（図１２）。障害者２７が、自分の背中をベッドに横たえるまで、後方に傾斜させるように、クロスバー５が、介護者２９によって持ち上げられる（図１３）。最後に、障害者２７は、自分がベッドの長手方向で横になるまで回転される（図１４）。
【００３０】
図１５及び１６には、本発明に係る介助器具の第２の実施形態が、収縮された状態と伸張された状態とのそれぞれで示されている。第１の実施形態と同様の全ての構成要素は、同様の参照番号によって示される。この実施形態では、介助器具３１は、スライドシートを有しておらず、ハンドルは、コードを用いて第１のセクションに接続されるアイレット(eyelets)として構成されている。さらにこの介助器具３１において、長いハンドル９は、伸縮自在の複数の管を備えている。
【００３１】
図１７及び１８には、使用中の、本発明に係る介助器具の第３の実施形態を様々な視点から視た図が示されている。この介助器具は、障害者の身体の周囲に巻き付けられるとともに、第１の結合手段３７を介して第１のセクション５又は接続要素７に接続されるようなループ形状のバンド３５を備える。この実施形態は、第１のセクションをしっかり握る状態を維持するために、十分な力強さを有していない障害者に有利である。
【００３２】
背中に位置決めされる部分が、障害者の頭から被された状態で、バンド３５が、胸の周囲に案内される。この様に、バンド３５は、胸から脇の下に延び、そして肩を越えて正面に延びる。正面において、バンドは、第１の結合手段３７を介して第１のセクション５の中央に又は第１のセクション付近の接続要素７に接続される。
【００３３】
二つの部分のループ形状のバンド３５は、肩から下向きに延びており、リング形状のバンド３９は、障害者の周囲のループが、リング形状のバンドを上下にそれぞれ移動させることにより、縮小又は拡大させることができるように、これらのループ形状のバンドを取り囲んでいる。
【００３４】
本発明を、図面を参照して上述したように説明してきたが、本発明は、図面に示された実施形態に決して限定されるものではない。本発明は、特許請求の範囲によって規定される精神及び／範囲内で図面に示される実施形態から逸脱するような任意の実施形態に及ぶ。例えば、介助器具は、座席及び背もたれが、互いに蝶番式に接続されている又は接続されていない且つ互いに対して固定することができるような、脚と肘掛け無しの椅子として配置することができる。
【図１】
2014509898.tif 000003
【図２】
2014509898.tif 000004
【図３】
2014509898.tif 000005
【図４】
2014509898.tif 000006
【図５】
2014509898.tif 000007
【図６】
2014509898.tif 000008
【図７】
2014509898.tif 000009
【図８】
2014509898.tif 000010
【図９】
2014509898.tif 000011
【図１０】
2014509898.tif 000012
【図１１】
2014509898.tif 000013
【図１２】
2014509898.tif 000014
【図１３】
2014509898.tif 000015
【図１４】
2014509898.tif 000016
【図１５】
2014509898.tif 000017
【図１６】
2014509898.tif 000018
【図１７】
2014509898.tif 000019
【図１８】
2014509898.tif 000020
【国際調査報告】
2014509898.tif 000021
2014509898.tif 000022